(57)【特許請求の範囲】
【請求項１】
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた、奥側に逃げ傾斜である手首に巻く一方の手首バンド部と、
前記手根載せ部を手根に位置させた状態で手に装着するための、該手根載せ部側の他方の側から延びるように設けられた前記一方の手首バンド部と連結される手首に巻く、奥側に逃げ傾斜である他方の手首バンド部と、
前記一方の手首バンド部と前記他方の手首バンド部の前側に設けられた、手根の側部を避けるための奥側に凹形態に形成されてなる一方の手根避け部、他方の手根避け部と、
前記一方の手根避け部が形成されている手首の一方の側面に当接する、手首のくるぶしと手根側部との間に略収まる幅としてなる一方の側面当接部と、
前記他方の手根避け部が形成されている手首の他方の側面に当接する、手首のくるぶしと手根側部との間に略収まる幅としてなる他方の側面当接部とからなり、
前記一方の手首バンド部と前記他方の手首バンド部を真直ぐに上げ手首上に位置させる通常の装着操作による装着では、一方の側面当接部および他方の側面当接部の前方が外に向き且つ奥方が内に向くように撚れるような動き、ないしまわるような動きとなり、よって、一方の側面当接部および他方の側面当接部が前方広がり後方狭まりの、手首の側面傾斜に略合った傾斜形態となるようにしたことを特徴とする手根保護具。
【請求項２】
一方の手首バンド部と他方の手首バンド部の全体の幅が、手首のくるぶしと手根側部との間に略収まる３ｍｍ〜１５ｍｍの幅であり、凹み形態としての一方の手根避け部と他方の手根避け部の無い形態であることを特徴とする請求項１記載の手根保護具。
【請求項３】
逃げ傾斜は略５度〜略３０度程度であることを特徴とする請求項１、２いずれか記載の手根保護具。
【発明の詳細な説明】
【技術分野】
【０００１】
本発明は、主にコンピュータを操作するマウスの使用時に手に装着して使用する掌の手根のテーブル面への接触および擦れを回避する手根保護具に関する。
【背景技術】
【０００２】
従来、マウスを滑動かし操作する動作においては手根を操作台に載せ置いた状態で行うために、皮膚が薄く敏感な部分であるためなどの理由により強い刺激を感じ、長時間、長期間おこなっていると強い違和感を与えられたり、人によっては強いストレスとなり、人によっては肩こり、腕のしびれ、神経系などに支障をきたす、それが腕以外の身体の他の部位に異常をもたらす引き金になったり、精神面、心理面にまで悪影響を与えているという問題があった。
このような問題を解決するための技術として、マウスの使用時に手根がマウスパットや机に接触して擦れる違和感を無くすための技術として、特許文献１に滑り手根部保護具の発明が開示されている。
【０００３】
【特許文献１】特許４０７１８０８号公報
【非特許文献１】特になし
【発明の開示】
【発明が解決しようとする課題】
【０００４】
特許文献１の発明は、主にコンピュータ操作をおこなうマウスの使用時に手に装着する滑り手根部保護具であって、首を載せる手首載せ部と、この手首載せ部から突き出すように設けられた手根部を乗せるための手根部載せ部と、手首載せ部の一方の側から延びるように設けられた一方の手首バンド部と、この一方の首載せ部の他方の側から延びるように設けられ且つ一方の手首バンド部と重なり連結される他方の手首バンド部と、手根部載せ部のテーブル上での滑り面部を形成する滑り面部と、一方の手首バンド部と他方の手首バンド部に設けられた、手根部の側部が当るのを避けるための凹形態の手避け部と、この手避け部により形成された一方の手首バンド部と他方の手首バンド部の、手首のくるぶしと手との間に収まる幅のくるぶし前で収まる部位（側面当接部）とからなる滑り手根部保護具である。
この従来技術は、一方の手首バンド部と他方の手首バンド部（主に前面部位：（指側を前とし前腕側を奥としている。））が展開方向に真直ぐに延びた形状であるため、一方の手首バンド部と他方の手首バンド部を手首上に位置させる通常の連結の装着（略真直ぐに手首に巻き連結する装着）では、くるぶし前で収まる部位（側面当接部）が図１９のように手首垂直線に対して水平状態での装着となる。
そうすると、手首の側面部は手首垂直線（前方から奥側に向く線）に対して前方に広がる傾斜した形態となっているので、くるぶし前で収まる部位（側面当接部）が図１９のように手首垂直線に対して水平状態での装着となって、結果、くるぶし前で収まる部位（側面当接部）の内面が傾斜している手首の側面ないし手根側面に面当接しないで、その前部面の主に前内縁角が傾斜面である手首側面の前側ないし手根側面に直接的に当ってしまい、その当りを強く感じ違和感あるいは不快感を与えるものである。
よって、装着締めを強めのものにできないとともに、手首から見て後方（前腕側に向かって）に広がる形態（隙間が形成され後方に該隙間が広がる形態）となるので、手首に締め付け感の弱い締めでは操作中にくるぶしを越して奥側に移動してしまうことが起き易くなるという欠点を有するものであった。
【０００５】
本発明は以上のような従来技術の欠点に鑑み、手根の側部ないし手首側面への装着バンドの前面部位（主に前縁内側角）の当りの生じない、あるいは生じても違和感ないし不快感を与えないとともに、奥側に移動し難い手根保護具を提供することを目的としている。
【課題を解決するための手段】
【０００６】
上記目的を達成するために本発明は次のような構成となっている。
＜請求項１記載の発明＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた、奥側に逃げ傾斜である手首に巻く一方の手首バンド部と、
前記手根載せ部を手根に位置させた状態で手に装着するための、該手根載せ部側の他方の側から延びるように設けられた前記一方の手首バンド部と連結される手首に巻く、奥側に逃げ傾斜である他方の手首バンド部と、
前記一方の手首バンド部と前記他方の手首バンド部の前側に設けられた、手根の側部を避けるための奥側に凹形態に形成されてなる一方の手根避け部、他方の手根避け部と、
前記一方の手根避け部が形成されている手首の一方の側面に当接する、手首のくるぶしと手根側部との間に略収まる幅としてなる一方の側面当接部と、
前記他方の手根避け部が形成されている手首の他方の側面に当接する、手首のくるぶしと手根側部との間に略収まる幅としてなる他方の側面当接部とからなり、
前記一方の手首バンド部と前記他方の手首バンド部を真直ぐに上げ手首上に位置させる通常の装着操作による装着では、一方の側面当接部および他方の側面当接部の前方が外に向き且つ奥方が内に向くように撚れるような動き、ないしまわるような動きとなり、よって、一方の側面当接部および他方の側面当接部が前方広がり後方狭まりの、手首の側面傾斜に略合った傾斜形態となるようにしたことを特徴とする手根保護具である。
＜請求項２記載の発明＞
請求項１記載の発明の構成において、一方の手首バンド部と他方の手首バンド部の全体の幅が、手首のくるぶしと手根側部との間に略収まる３ｍｍ〜１５ｍｍの幅であり、凹み形態としての一方の手根避け部と他方の手根避け部の無い形態であることを特徴とする手根保護具である。
＜請求項３記載の発明＞
請求項１、２いずれか記載の発明の構成において、逃げ傾斜は略５度〜略３０度程度であることを特徴とする手根保護具である。
【発明の効果】
【０００７】
以上の説明から明らかなように、本発明にあっては次に列挙する効果が得られる。
＜請求項１記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた、奥側に逃げ傾斜である手首に巻く一方の手首バンド部と、
前記手根載せ部を手根に位置させた状態で手に装着するための、該手根載せ部側の他方の側から延びるように設けられた前記一方の手首バンド部と連結される手首に巻く、奥側に逃げ傾斜である他方の手首バンド部と、
前記一方の手首バンド部と前記他方の手首バンド部の前側に設けられた、手根の側部を避けるための奥側に凹形態に形成されてなる一方の手根避け部、他方の手根避け部と、
前記一方の手根避け部が形成されている手首の一方の側面に当接する、手首のくるぶしと手根側部との間に略収まる幅としてなる一方の側面当接部と、
前記他方の手根避け部が形成されている手首の他方の側面に当接する、手首のくるぶしと手根側部との間に略収まる幅としてなる他方の側面当接部とからなり、
前記一方の手首バンド部と前記他方の手首バンド部を真直ぐに上げ手首上に位置させる通常の装着操作による装着では、一方の側面当接部および他方の側面当接部の前方が外に向き且つ奥方が内に向くように撚れるような動き、ないしまわるような動きとなり、よって、一方の側面当接部および他方の側面当接部が前方広がり後方狭まりの、手首の側面傾斜に略合った傾斜形態となるようにしたことを特徴とする手根保護具であるので、
本願発明の発明特定事項は、一方の手首バンド部と他方の手首バンド部あるいはいずれか一方の手首バンド部を奥側に逃げ傾斜させてなる構成にあり、
この発明特定事項により、
例えは、両手首バンド部が傾斜しているとした場合では、両手首バンドは奥側に傾斜形態となっていて、その傾斜を維持したままの手首への巻き装着では手首バンドの端方（連結部分）は手首線上よりも奥側に位置して、一方の手首バンド部と他方の手首バンド部が手首線上より少し奥側で交叉する形態で連結され、手首の側面当接部は前方が内に向き後方が外に向くように傾斜して前縁が手根の側面に当接する状態となるものであるが、
一方の手首バンド部と他方の手首バンド部を真直ぐに上げ手首上に位置させるという、使用者が何も考えることなく行う通常の装着操作による装着では、手首線上より少し奥側で交叉する状態から前方に手首バンドが移動するので、一方の側面当接部および他方の側面当接部の前方が外に向き且つ奥方が内に向くように撚れるような動き、ないしまわるような動きとなり、よって、一方の側面当接部および他方の側面当接部が前方広がり後方狭まりの、手首の側面傾斜に略合った傾斜形態となる。
すなわち当り面積の狭い縁当接（線当接）でない当接面積の広い面当接のフィット感のある装着形態を実現するという効果を奏する。
一方の手首バンド部と他方の手首バンド部の連結は、一方のフック面ファスナを設け他方にループ面ファスナを設け（逆も有り）、両面ファスナの係着によってするもの、一方の手首バンドに環部材を取り付け、他方の手首バンドの同一面にフック面ファスナとループ面ファスナを設け（逆も有り）、他方の手首バンドを環部材に通して折り返しフック面ファスナとループ面ファスナを係着することによってするものなどの形態がある。このことは以下に述べる発明についても同様のことが言える。
手根保護具の素材としては、紙製部材、布製部材、フェルト製部材、ループ面ファスナ製部材、不織布製部材、発泡樹脂製部材、合成樹脂性部材、ゴム製部材あるいは木製部材など多様なものがあり、その形態はシート形態、メッシュ形態あるいは板形態からなるものなどが含まれる。このことは以下に述べる発明についても同様のことが言える。
＜請求項２記載の発明の効果＞
請求項１記載の発明の構成において、一方の手首バンド部と他方の手首バンド部の全体の幅が、手首のくるぶしと手根側部との間に略収まる３ｍｍ〜１５ｍｍの幅であり、凹み形態としての一方の手根避け部と他方の手根避け部の無い形態であることを特徴とする手根保護具であるので、
請求項１記載の発明と同様な効果を奏するとともに、材料の使用量を軽減するとともに、手首バンドの連結を面ファスナ部材の係着により行うものでは、面ファスナの使用量を軽減し低コスト化を実現するという効果を奏する。
【発明を実施するための最良の形態】
【０００８】
以下、図面に示す発明を実施するための最良の形態を説明する。但し、本発明はそれらのみに限定されるものではない。
【０００９】
＜第１の実施の形態＞
図１、図２、図３に示す本発明を実施するための最良の第１の実施の形態において１は手根保護具であって、この手根保護具１は、主にコンピュータのマウス２の操作時の手根の擦れを防ぐ手根保護具であって、掌の手根を乗せるための底部をテーブル面での滑り側３とした、低部面全体、滑り部材を設けたあるいは突起した滑り部位を形成してなる手根載せ部４と、この手根載せ部４を手根に位置させて手に装着するための、該手根載せ部４側の一方の側から延びるように設けられた手首に巻く手首バンド部５と、
前記手根載せ部４を手根に位置させた状態で手に装着するための、該手根載せ部４側の他方の側から延びるように設けられた前記手首バンド部５と連結される手首に巻く手首バンド部６と、
前記手首バンド部５と前記手首バンド部６の前側に設けられた、手根の側部を避けるための奥側に凹形態に形成されてなる手根避け部７、手根避け部８と、
前記手根避け部７が形成されている手首の一方の側面に当接する側面当接部１０と、
前記手根避け部８が形成されている手首の他方の側面に当接する側面当接部１１とからなり、
前記手首バンド部５と前記手首バンド部６を奥側に略１２度の逃げ傾斜させた構成となっている。
逃げ傾斜は略５度〜略３０度程度であるが、好ましくは８度〜２０度程度、より好ましくは１２度〜１７度程度がよい。
左手で装着操作をして右手に装着する場合に好適なように、手首バンド部５と手首バンド部６の連結手段は、手首バンド部５の内側面（手根載せ面側）に設けられたフック面ファスナ部材１２と、手首バンド部６の前記手首バンド部５の面ファスナの設け面とは反対面（外側面）に設けられたループ面ファスナ部材１３とからなっている。
手首の親指側の側面の傾斜角度と手首の小指側の側面の傾斜角度では異なる人が多く、親指側の傾斜角度に対して小指側の傾斜角度は１度〜５度程度少ない傾斜角度とするのがよい。
本実施の形態では右手に装着して使用することを想定しているが、左手に装着する場合はこの逆となることは言うまでもない。
奥側に傾斜形態となっていてそのままの自然な手首への巻き装着では手首バンドの端方（連結部分）は手首線上よりも奥側に位置して、一方の手首バンド部と他方の手首バンド部が手首線上より少し奥側で交叉する形態で連結され、手首の側面当接部は前方が内に向後方が外に向くように傾斜して前縁が図１１に示すように手根の側面に当接する状態となるものであるが、手根保護具１は手首バンド部５と手首バンド部６を真直ぐに上げ手首上に位置させる使用者が何も考えることなく行う通常の装着操作ですると、首線上より少し奥側で交叉する状態から前方に手首バンド部５および手首バンド部６は移動するので、側面当接部１０と側面当接部１１の前方が外に向き且つ奥方が内に向くように撚れるような動き、ないしまわるような動きとなり、よって、側面当接部１０および側面当接部１０が図３に示すように傾いた（傾斜した）状態で手首となり、よって、前縁が向き当らない、すなわち当り面積の狭い縁接触（線接触）でない当接面積の広い面接触のフィット感のある装着形態を実現する。
【００１０】
（発明を実施するための異なる形態）
次に、本発明を実施するための異なる形態について説明する。なお、これら本発明を実施するための異なる形態の説明に当たって、前述した実施の形態の説明と同じ構成には同じ符号を付しその説明を省略する。
【００１１】
＜第２の実施の形態＞
図４に示す本発明を実施するための最良の第２の実施の形態において、前記第１の実施の形態と主に異なる点は、一方の手首バンド部と他方の手首バンド部の全体の幅が、手首のくるぶしと手根側部との間に略収まる３ｍｍ〜１５ｍｍ（本実施の形態では略１０ｍｍ）の幅の手首バンド部１５と手首バンド部１６として、手根載せ部４および側面当接部１０、１１は略５ｍｍの厚みで通気性、吸水性および抗菌性があるコットン、スポンジ、あるいは不織布などのソフトクッション部材１７を設け、手根載せ部４の底部に直径５ｍｍ程の超高密度ポリエチレン製シート状部材あるいは板状部材からなる滑り部材１８を複数個設けてなる手根保護具１９を形成してなる点にある。
滑り部材はシート状部材を底部全面に接着して滑り面を形成してなるもの、全体を滑り部材からなるシート状部材によって形成し、手載せ面および手首バンド部の肌接触面（内面）の全面あるいは一部面にコットン製部材などの吸湿性の柔軟性クッション製部材を設けてなるものもよい。
【００１２】
＜第３の実施の形態＞
図５、図６に示す本出願人したところの他の発明を実施するための最良の第３の実施の形態において２１は手根保護具であって、この手根保護具２１は、主にコンピュータのマウス２の操作時の手根の擦れを防ぐ手根保護具であって、掌の手根を乗せるための底部をテーブル面での滑り側３とした、底面全体を滑り面とした、滑り部材を設けたあるいは滑り部位を形成してなる手根載せ部４と、この手根載せ部４を手根に位置させて手に装着するための、該手根載せ部４側の一方の側から延びるように設けられた手首に巻く手首バンド部２２と、
前記手根載せ部４を手根に位置させて手に装着するための、該手根載せ部４側の他方の側から延びるように設けられた前記手首バンド部２２と連結される手首に巻く手首バンド部２３と、
前記手首バンド部５と前記手首バンド部６の前側に設けられた、手根の側部を避けるための奥側に凹形態に形成されてなる手根避け部７、手根避け部８と、
前記手根避け部７が形成されている手首の一方の側面に当接する側面当接部１０と、
前記手根避け部８が形成されている手首の他方の側面に当接する側面当接部１１と、
前記手首バンド部２２の内面（手との接触面）に設けられた長さ略３０ｍｍ（３０ｍｍ以上であればよい）のループ面ファスナ部材２４と、
前記手バンド部２３の外面（手との非接触面）に設けられた、前記手首バンド部２２の前記ループ面ファスナ部材２４と係着される長さ略３５ｍｍ（３０ｍｍ以上であればよい）のフック面ファスナ部材２５とからなり、
前記手首バンド部２３を前記側面当接部１１が手首に平に当接するように手の甲側に逃がすようにして手の甲上に押さえ、前記手首バンド部２２を前記側面当接部１０が手首に平に当接するように手の甲側に逃がすようにして押さえられている該手首バンド部２２に交叉するように、上向きの前記フック面ファスナ部材２５に下向きの前記ループ面ファスナ部材２４を係着して、該手首バンド部２２と該手首バンド部２３を手の甲上でＸ形態に交叉した連結形態にして、手首に巻くようになっている。
係着連結する両面ファスナを３０ｍｍ以上の長いものとしたことによって、手首の太さが異なっても、手の甲上でループ面ファスナ部材２４とフック面ファスナ部材２５とを交叉（クロス）させるように重ね係着して連結し装着することを可能とし、手首バンド２２と手首バンド２３を手首線上から前方にずらすように、すなわち側面当接部１０と側面当接部１１を前方が外向きに後方が内向きに撚れるようにないしまわるように動かして、手首の側面に平状態で当る状態に調節して交叉連結することができ、よって、側面当接部１０、１１が平らな状態で手首の側面に前縁が当らない、すなわち当り面積の狭い縁接触（線接触）でない当接面積の広い面接触のフィット感のある装着形態を実現する
【００１３】
＜第４の実施の形態＞
図７に示す本出願人したところの他の発明を実施するための最良の第４の実施の形態において前記第３の実施の形態と主に異なる点は、一方の手首バンド部と他方の手首バンド部の全体の幅が、手首のくるぶしと手根側部との間に略収まる３ｍｍ〜１５ｍｍ（本実施の形態では略８ｍｍ）の幅の手首バンド部２７と手首バンド部２８として、手根載せ部４および側面当接部１０、１１は略３ｍｍの厚みで通気性、吸水性および抗菌性があるコットン、スポンジ、あるいは不織布などのソフトクッション部材（図示せず）を設けてなる手根保護具２９を形成してなる点にある。
【００１４】
＜第５の実施の形態＞
図８に示す本出願人したところの他の発明を実施するための最良の第５の実施の形態において３７は手根保護具であって、この手根保護具３７は主にコンピュータのマウスの操作時の手根の擦れを防ぐ手根保護具であって、
掌の手根を乗せるための底部をテーブル面での滑り側３とした、底面全体を滑り面とした、滑り部材を設けたあるいは滑り部位を形成してなる手根載せ部４と、
この手根載せ部４を手根に位置させた状態で手に装着（取り付ける）するための、該手根載せ部４側の一方の側から延びるように設けられた手首に巻く手根側面とくるぶしの幅よりも広い幅の手首バンド部３０と、
前記手根載せ部４を手根に位置させて手に取り付ける（装着）するための、該手根載せ部４側の他方の側から延びるように設けられた前記手首バンド部３０と面ファスナ部材により連結・連絡される手首に巻く手首バンド部３１と、
手首バンド部３０と手首バンド部３１の手首側面に当接する部位に設けられた、手首のくるぶしと手根側部との間に略収まるソフト部材からなるソフト突起部位３２、３３とからなり、
前記手首バンド部３１には上部に当接する前部側にソフト部材からなるソフト突起部位３４を設け、手首バンド部３０の内面にはループ面ファスナ部材３５が設けられ、手首バンド部３１の外面にはループ面ファスナ部材３５に係着して該手首バンド部３１と手首バンド部３０を連結するフック面ファスナ部材３６が設けられた構成となっている。
ソフト突起部位３２、３３がソフトタッチで手首のくるぶしと手根側部との間に略収まるので、ストッパー機能を果たして操作によって手首から抜け奥側に動いてしまうことが生じないとともに、ソフト突起部位３４が手首の上の方に位置して、手首バンドの手首への当りを全体としてソフトなものにする。
【００１５】
＜第６の実施の形態＞
図９、図１０に示す本出願人したところの他の発明を実施するための最良の第６の実施の形態において４０は手根保護具であって、この手根保護具４０は主にコンピュータのマウスの操作時の手根の擦れを防ぐ手根保護具であって、掌の手根を乗せるための底部をテーブル面での滑り側３とした、滑り部材を設けたあるいは滑り部位を形成してなる手根載せ部４と、
この手根載せ部４から奥側に手首を越えて前腕に達する長さの前腕まで延びる部位４１と、
この前腕まで延びる部位４１の奥方に設けられた、前記手根載せ部４を手根に位置させかつ該前腕まで延びる部位４１を前腕に装着するための、前腕まで延びる部位４１の一方の側に設けられた前腕バンド部４２と、前腕まで延びる部位４１の他方の側に設けられた、前記前腕バンド部４２と前腕上で重なり連結される前腕バンド部４３とからなり、
手首バンド部４２の内面にはフック面ファスナ部材４４が設けられ、手首バンド部４３の外面にはフック面ファスナ部材４４に係着して該手首バンド部４３と手首バンド部４２を連結するフック面ファスナ部材４５が設けられた構成となっている。
手首に巻き装着する手首バンドに変えて前腕に巻き装着する前腕バンドとしたので、手首へのバンドの接触当りは一切生じない形態を実現するとともに、前腕を覆う着衣の上から前腕バンドを装着できるので、より違和感のない装着を実現する。
滑り部材としては、例えばテーブルなどの脚底に貼り付けて床を滑り移動しやすくする、ふすまなどの戸口の案内溝に貼ってとの滑りをよくする、超高密度ポリエチレン製部材、シリコン部材などがある。
【００１６】
＜第７の実施の形態＞
図１１に示す本発明を実施するための最良の第７の実施の形態において前記第１の実施の形態と主に異なる点は、手根載せ部４を大きめに形成して、該手根載せ部４の大きさを使用者の手根の広さに合わせた大きさに綺麗に形成するための、一部を切りとるためのミシン線４８、４９を設け、手首バンド部５の傾斜角度を１５度とし、手首バンド６の傾斜角度を１４度としてなる手根保護具５０を形成した点にある。
【００１７】
＜第８の実施の形態＞
図１２に示す本発明を実施するための最良の第８の実施の形態において前記第２の実施の形態と主に異なる点は、手根載せ部４を大きめに形成して、該手根載せ部４の大きさを使用者の手根の広さに合わせた大きさに綺麗に形成するための、鋏で切り取るための切り取り案内線５２、５３を表面と裏面の両面に設け、切り取り案内線５２と切り取り案内線５３は異なる色で表記され、手首バンド部１５の傾斜角度を１５度とし、手首バンド１６の傾斜角度を１３度としてなる手根保護具５５を形成した点にある。
【００１８】
＜第９の実施の形態＞
図１３に示す本出願人したところの他の発明を実施するための最良の第９の実施の形態において６０は手根保護具であって、この手根保護具６０は、
主にコンピュータのマウスの操作時の手根の擦れを防ぐ手根保護具であって、掌の手根を乗せるための底部をテーブル面での滑り側６１とした、底面全体を滑り面とした、滑り部材を設けたあるいは滑り部位を形成してなる手根載せ部６１と、
この手根載せ部６２を手根に位置させて手に装着するための、該手根載せ部６２側の内奥側から延びるように設けられ、内面となる端方にフック面ファスナ６３を設けてなる手首に巻く手首バンド部６４と、
前記手根載せ部６２を手根に位置させて手に装着するための、該手根載せ部側の外奥側から延びるように設けられた手首バンド部６４と連結される手首に巻く、外面となる面に長めの（３０ｍｍ以上）ループ面ファスナ６５を有する手首バンド部６６と、
前記手首バンド部６４の手首の内側面に当接する部位である、手首内側面形状に合わさってソフトタッチで変形当接する布製部材、柔軟性合成樹脂製シート部材あるいは毛糸編などのソフト編製部材などからなるとともに、その幅が手根側面部と手首くるぶしの間に納まる幅に形成されてなる一方の手首側面ソフトタッチ当接部６７（手首バンド部６４が手首側面ソフトタッチ当接部と同じ幅に形成されている）と、
前記手首バンド部６６の手首の外側面に当接する部位である、手首外側面形状に合わさってソフトタッチで変形当接する布製部材、柔軟性合成樹脂製シート部材あるいは毛糸編などのソフト編製部材などからなるとともに、その幅が手根側面部と手首くるぶしの間に納まる幅に形成されてなる手首側面ソフトタッチ当接部６８（手首バンド部６６が手首側面ソフトタッチ当接部と同じ幅に形成されている）とからなっている。
手首バンド部６４、手首バンド部６６および手根載せ部６２の手根載せ面部位は、一枚あるいは一体の部材からなる吸湿性あるいは吸水性のある一つの部材６９からなって、該手根載せ面部位の下部に厚紙製部材、木製部材、フェルト製部材あるいは合成樹脂性部材などの手載せ部材が接着、融着、溶着などにより一体的に接合設けられた形態となっている。
手根保護具６０は右利きの人が右手に装着（取り付け）して使用することを想定したものであり、手の甲を上にして右側を内側と表現し、左側を外側と表現している。左手に装着しても十分に使用できるものであるが、左手に装着使用する形態では、背面図の形態が正面図となる。
手首側面に当接する部位である手首側面ソフトタッチ当接部６７と手首側面ソフトタッチ当接部６８が、手首の側面形状に合わさってソフトタッチで変形当接する部材により構成されていることにより、手首側面への手首バンドの当りが硬い当り感の無いソフトタッチで違和感の無いものにできるという効果を奏する。
また、手首側面ソフトタッチ当接部および他方の手首側面ソフトタッチ当接部の幅が、手根側面部と手首くるぶしの間に納まる幅に形成されてなるので、くるぶしに奥側への移動が確実に阻止される装着を実現するので、使用中にくるぶしを超えて前腕側に移動してしまうことが生じないという効果を奏する。
また、例えば、一枚の布製部材に手根載せ部が型崩れしないようにする厚紙などの手根載せ部部材を貼り付けた構成であるので、部品点数および製造が簡単であるので、低コストなものにできる。
手首側面ソフトタッチ当接部の形態は、手首側面ソフトタッチ当接部を他の部位（手根載せ部、バンドの連結部位）の部材とは異なるソフト部材を接着、溶着融着あるいはステップラー（ホッチキス：登録商標）などの機械的な取り付けにより設けてなる形態、手根載せ部およびバンドの連結部位の内側面、外側面あるいは中間部位を形成しているシート部材からなる形態などの形態がある。特に、吸湿性、吸水性があって肌触りによい、木綿布、絹布、麻布などの素材が好適である。
一つの部材６９を袋形態にして、この中に綿などの通気性と吸湿性を有するクッション部材を設けたクッション形態とするのもよい。
【００１９】
＜第１０の実施の形態＞
図１４に示す本出願人したところの他の発明を実施するための最良の第１０の実施の形態において７２は主にコンピュータのマウスの操作時の手根の擦れを防ぐ手根保護具であって、この手根保護具７２は、
底部をテーブル面での滑り側７３とした掌の手根を載せる、布製部材などの通気性のある柔軟性部材を袋状に形成してなる袋形態の手根載せ部７４と、
この手根載せ部７４を手根に位置させた状態で手に装着するための、該手根載せ部７４側の一方の側（ここでは内側＝左側）から延びるように設けられた、布製部材などの通気性のある柔軟性部材を袋状に形成してなる袋形態の手首に巻く、内面に連結部材であるフック面ファスナ７５を備えた手首バンド部７６と、
前記手根載せ部７４を手根に位置させた状態で手に装着するための、該手根載せ部７４側の他方の側（ここでは外側＝右側）から延びるように設けられた、布製部材などの通気性のある柔軟性部材を袋状に形成してなる袋形態の前記手首バンド部７５と連結される、外面に連結部材であるループ面ファスナ７７を備えた手首に巻く手首バンド部７８と、
前記手根載せ部７４、前記手首バンド部７５および前記手首バンド部７７の袋内部に詰め込まれて全体をクッション構造とする、綿部材、スポンジ部材などの通気性クッション部材７９とからなっている。
８０は縫い目である。
特に手首に巻く手首バンドがソフトな絹や木綿などの布地部材などのソフトタッチの肌触りのよい部材を使用し、ソフトなクッション形態としたものであるので、手首側面への手首バンドの当接がソフトで違和感のないものとなり、手根とくるぶしの間への嵌まり込みもなされて、操作中にずれることも無くなり、通気性と吸湿性を有する素材であるので、蒸れることもないという効果を奏する。
手首バンド部の少なくとも手首の側面に当る部位は、手根とくるぶしの間に嵌る幅あるいは一部が嵌る形態とするのがよい。
【００２０】
＜第１１の実施の形態＞
図１５に示す本出願人したところの他の発明を実施するための最良の第１１の実施の形態において８３は主にコンピュータのマウスの操作時の手根の擦れを防ぐ手根保護具であって、この手根保護具８３は、
底部をテーブル面での滑り側とした掌の手根を載せる空気膨らませ手根載せ部８４と、
この空気膨らませ手根載せ部８４を手根に位置させた状態で手に装着するための、空気を入れて膨らませた先端分離交叉リング形態、先端分離Ｃ字形態あるいは先端分離先端突合せＯ字形態からなっていて（本実施例では先端分離交叉リング形態を採用）、手首をその弾性力に抗して入れることによって、手首を軽く弾性締め付けて該手首に装着される空気膨らませ手首バンド部８５とからなっている。８６、８７、８８は合わせ融着接合部（接着接合部、溶着接合部でもよい）である。
より詳しくは、空気膨らませ手根載せ部８４も空気が入れられ膨らんだ状態の膨らみ体となっていて、その手首側は途中で融着接合部８７によって封じられ、該融着接合部８７の奥側には手首バンド部８５を通し取り付けるバンド通し取付部８９が形成されている。
バンド通し取付部８９への空気膨らませ手首バンド部８５は接着固定されているとともに、バンド通し取付部８９および空気膨らませ手根載せ部８４の底部には滑り面を兼ねる板部材（図示せず省略）が接着固定され、融着接合部８７で空気膨らませ手根載せ部８３が垂れ下がらないように支えるようになっている。
空気膨らませ手首バンドは先端が交叉しない、少し離れた形態が成形し易く適している。すなわち、Ｃ形状の二枚のシートの縁を接着接合、融着接合あるいは溶着接合して密封袋体を形成して、空気を入れ膨らませる、あるいは密封袋体形成時に空気の入った膨らんだ状態とするのである。
空気膨らませ手首バンド部８５にバンド通し取付部を有する板状の手根載せ部を、接着固定した状態に取り付けてなるものもよい。
空気膨らませ手首バンド部は、空気を入れて膨らませた浮き輪のような形態の対抗するあるいは交叉する端部がはなれた形態、すなわち、先端分離交叉リング形態、先端分離Ｃ字形態（先端分離コ字形態を含む）あるいは先端分離先端突合せＯ字形態となっているので、穴の部分あるいは内部分を手首の太さより細く形成しておくことにより、あるいは手首が穴よりも細い場合や締め付けが弱い場合は、ハンカチやティッシュペーパーなどの補助部材を手首に巻くあるいは間に入れるなどすることにより、手首バンド部の弾性締め付けによって、該空気膨らませ手首バンド部を手首に装着して手根載せ部を手根の位置に取り付ける（セットする）ことができるとともに、空気を入れて膨らませた空気膨らませ手首バンドは略円筒形態となるので、手首側面凹にソフトに嵌る違和感なく且つ移動しない装着形態を実現するという効果を奏する。
また、手首バンド部自身の弾性締め付けにより手首への装着を実現するものであるので、面ファスナなどの別部材の連結手段を必要としない、すなわち、部品点数および組み立て工程を少なくできるという効果を奏する。
浮き輪のように空気膨らませ手根載せ部も空気が入れられ膨らんだ状態とされた膨らみ体とし、該空気膨らませ手載せ部および手首バンド部の少なくとも手の肌が接触する面は、布製部材などの吸湿性部材とするのがよい。
膨らみ体は空気が密封されて膨み状態とされたもの、主に使用者が口で息（空気）を吹き込み膨らませるための吹き込み口（空気注入口）を有するもののいずれも技術的範疇に含まれるものである。
特に、使用者が空気を口で空気を吹き込む構成のものは、使用者の好みの膨み状態とできる。この点で手首バンド部と手根載せ部は別体の膨らみ体にして、それぞれに息吹込み口を設けて、それぞれ好みの硬さとなるように息を吹き込みできるようにするのがよい。
【００２１】
＜第１２の実施の形態＞
図１６に示す本出願人したところの他の発明を実施するための最良の第１２の実施の形態において９３は主にコンピュータのマウスの操作時の手根の擦れを防ぐ手根保護具であって、この手根保護具９３は、
略ハート形状の手載せ部を形成する手載せ部形成部位９４、この手載せ部形成部位９４の奥側に形成された略Ｃ字形状の手首バンドを形成する手首バンド形成部位９５とからなる一枚の第１ビニールシート９６、第２ビニールシート９７を重ね合わせ、その周囲を融着接合部９８で融着接合して密封し、かつ、手首バンド形成部位９５と手載せ部形成部位９４の境を間隔を空けて融着してなる融着接合部９９で融着接合して、空気を入れ膨らみ状態として空気膨らませ手根載せ部１００と空気膨らませ手首バンド部１０１とからなる膨らみ体１０２を形成し、
空気膨らませ手根載せ部１００を略水平状態で、空気膨らませ手首バンド部１０１を略垂直状態にして、その当接する根本接合部１０３を接着して、空気膨らませ手根載せ部１００の略水平状態と空気膨らませ手首バンド部１０１の略垂直状態を固定し、空気膨らませ手根載せ部１００の底部に滑り部材を設けてなる（本実施例では接着あるいは融着してなる）構成となっている。
滑り部材はシート形態、粒形態など多様な形態があり、その取り付けも接着、融着、溶着あるいは空気膨らませ手根載せ部に凹部や穴を形成して、そこに嵌め込む形態など多様な形態がある。
【００２２】
＜第１３の実施の形態＞
図１７に示す本出願人したところの他の発明を実施するための最良の第１３の実施の形態において１０６は主にコンピュータのマウスの操作時の手根の擦れを防ぐ手根保護具であって、この手根保護具１０６は、
底部をテーブル面での滑り側とする滑り部材１０７を設けてなる掌の手根を載せる手根載せ部１０８と、
この手根載せ部１０８を手根に位置させた状態で手に装着するための、該手根載せ部１０８の奥川に湾曲形態で立ち上げられた、先端分離交叉リング形態、先端分離Ｃ字形態あるいは先端分離先端突合せＯ字形態（本実施例ではＣ字形態を採用）からなっていて、手首をその弾性力に抗して入れることによって、手首を軽く弾性締め付けて該手首に装着される手首バンド芯部材１０９、１０９、この手首バンド芯部材１０９、１０９を通してなる断面形状が楕円形あるいは略円形の手首巻かれる低反発樹脂製部材１１０、１１０あるいは発泡樹脂製ソフト部材とからなる手首バンド部１１１とからなっている。
手首バンド部１１７の一方の側の奥側上方には空気を入れるための空気注入口１２１（主に口で息吹き込む）が設けられている。
手首バンド芯部材をアルミニウム製針金部材あるいは鉛製針金部材などの塑性変形部材とするのもよい。
この場合、手根載せ部１０８の奥側の底部、上部、背部に塑性変形部材を嵌め込み接着固定する溝を設けて取り付ける、左右に横穴を設けて塑性変形部材を挿入接着取り付けるなどにより取り付けるのがよい。
塑性変形部材を広げて手首を入れ、該塑性変形部材を手首に合うように締め変形させて、手首に装着することができるとともに、低反発樹脂製部材あるいは発泡樹脂製ソフト部材のソフト弾性力による手首へのソフトな弾性締め付け装着を実現するという効果を奏する。
また、手首バンド部自身の弾性締め付けにより手首への装着を実現するものであるので、面ファスナなどの別部材の連結手段を必要としない、すなわち、部品点数および組み立て工程を少なくできるという効果を奏する。
【００２３】
＜第１４の実施の形態＞
図１８の上図に示す本出願人したところの他の発明を実施するための最良の第１４の実施の形態において１１５は主にコンピュータのマウスの操作時の手根の擦れを防ぐ手根保護具であって、この手根保護具１１５は、
底部をテーブル面での滑り側とした掌の手根を載せる空気を入れて膨らませたクッション性のある膨らみ体である手根空気膨らませ載せ部１１６と、
この空気膨らませ手根載せ部１１６を手根に位置させた状態で手に装着するための、空気を入れて膨らませた先端分離交叉リング形態、先端分離Ｃ字形態あるいは先端分離先端突合せＯ字形態からなっていて（本実施例では先端分離Ｃ字形態を採用）、手首をその弾性力に抗して入れることによって、手首を軽く弾性締め付けて該手首に装着される、該手空気膨らませ根載せ部１１６と連通されて空気で膨らんでなる空気膨らませ手首バンド部１１７とからなり、側面形状が略、側面形状がＬ字形態となっている。１１８、１１９、１２０は接合部（融着接合、接着接合あるいは溶着接合による）である
空気膨らませ手首バンド部１１７の一方の側の奥上方には、空気を注入（主に口で息を吹き込む）するための空気注入口１２１を設けている。
空気膨らませ手首バンド部は、空気を入れて膨らませた浮き輪のような形態の対抗するあるいは交叉する端部がはなれた形態、すなわち、先端分離交叉リング形態、先端分離Ｃ字形態（先端分離コ字形態を含む）あるいは先端分離先端突合せＯ字形態となっているので、穴の部分あるいは内部分を手首の太さより細く形成しておくことにより、あるいは手首が穴よりも細い場合や締め付けが弱い場合は、ハンカチやティッシュペーパーなどの補助部材を手首に巻くあるいは間に入れるなどすることにより、手首バンド部の弾性締め付けによって、該手首バンド部を手首に装着して手根載せ部を手根の位置に取り付ける（セットする）ことができるとともに、空気を入れて膨らませた手首バンドは略円筒形態となるので、手首側面凹にソフトに嵌る違和感なく且つ移動しない装着形態を実現するという効果を奏する。
また、手首バンド部自身の弾性締め付けにより手首への装着を実現するものであるので、面ファスナなどの別部材の連結手段を必要としない、すなわち、部品点数および組み立て工程を少なくできるという効果を奏する。
浮き輪のように手根載せ部も空気が入れられ膨らんだ状態とされた膨らみ体とし、該手載せ部および手首バンド部の少なくとも手の肌が接触する面は、布製部材などの吸湿性部材とするのがよい。
膨らみ体は空気が密封されて膨み状態とされたもの、使用者が口で息（空気）を吹き込み膨らませるための吹き込み口を有するもののいずれも技術的範疇に含まれるものである。
特に、使用者が空気を口で空気を吹き込む構成のものは、使用者の好みの膨み状態とできる。この点で手首バンド部と手根載せ部は別体の膨らみ体にして、それぞれに息吹込み口を設けて、それぞれ好みの硬さとなるように息を吹き込みできるようにするのがよい。
【００２４】
図１８の下図に示す手根保護具１２４について説明する。
手根保護具１１５の面が肌に直接接触するのを防ぎ（主に汗ばみ湿気を帯たりあるいは汗で濡れるのを防止することを目的）として、通気性および吸湿性を有するあるいはいずれか一方の機能を有する肌触りのよいソフト素材からなっている、空気膨らませ手根載せ部１１６の上部面に載る手根載せ部に載る部位１２５と、空気膨らませ手首バンド部１１７の両方のバンド部を通すバンド通し部１２６、１２７とからなる手根保護具装着体１２８を、手根保護具１１５に装着してなる手根保護具１２４を形成している。
「手根保護具１１５に装着してなる手根保護具１２４」とは、手根保護具１１５がすでに装着された状態にあるもの、手根保護具１１５が装着されず添付されて提供されているもののいずれも技術的範疇に含むものである。
このような構成とすることにより、主にビニール製部材あるいはゴム製部材という通気性、吸湿性のない素材を使用している膨らみ体である手根保護具１１５を、そのまま手に装着した場合は、手の発汗によって湿り濡れて使用感がとても悪くなるものであるが、通気性および吸湿性を有するあるいはいずれか一方の機能を有する素材からなっている手根保護具装着体１２８で、手根および手首への手根保護具１１５の直接の接触は回避され、且つ、例えば、木綿製部材、絹製部材、麻製部材、通気性吸湿性のある不織布製部材あるいはコットン製部材などの肌触りの良いソフト部材であるで、軽快な装着使用感を実現するとともに、エアクッションによる快適なクッション操作性を実現するという効果を奏する。
手根保護具装着体１２８は雑菌が繁殖して臭気が生じないように、抗菌性のあるものがよい。
また、手根保護具装着体１２８にロゴ、広告、模様などを施すことができるので、例えば、手根保護具装着体１２８のみの提供も行えるものであるとともに、手根保護具１１５は無地、無色地あるいは共通模様として、手根保護具装着体１２８の模様等を替えることにより多様な模様等の要求に（例えば少量多品種）柔軟に答えることができ、手根保護具１１５を共通化することにより、該手根保護具１１５を安価にすることができるという効果を奏する。
【００２５】
＜付記＞
＜付記１記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた手首に巻く一方の手首バンド部と、
前記手根載せ部を手根に位置させた状態で手に装着するための、該手根載せ部側の他方の側から延びるように設けられた前記一方の手首バンド部と連結される手首に巻く他方の手首バンド部と、
前記一方の手首バンド部と前記他方の手首バンド部の前側に設けられた、手根の側部を避けるための奥側に凹形態に形成されてなる一方の手根避け部、他方の手根避け部と、
前記一方の手根避け部が形成されている手首の一方の側面に当接する一方の側面当接部と、
前記他方の手根避け部が形成されている手首の他方の側面に当接する他方の側面当接部とからなり、
前記一方の手首バンド部および前記他方の手首バンド部あるいはいずれか一方の手首バンドを奥側に逃げ傾斜させてなることを特徴とする手根保護具であるので、
本願発明の発明特定事項は、一方の手首バンド部と他方の手首バンド部あるいはいずれか一方の手首バンド部を奥側に逃げ傾斜させてなる構成にあり、
この発明特定事項により、
例えは、両手首バンド部が傾斜しているとした場合では、両手首バンドは奥側に傾斜形態となっていて、その傾斜を維持したままの手首への巻き装着では手首バンドの端方（連結部分）は手首線上よりも奥側に位置して、一方の手首バンド部と他方の手首バンド部が手首線上より少し奥側で交叉する形態で連結され、手首の側面当接部は前方が内に向き後方が外に向くように傾斜して前縁が手根の側面に当接する状態となるものであるが、
一方の手首バンド部と他方の手首バンド部を真直ぐに上げ手首上に位置させるという、使用者が何も考えることなく行う通常の装着操作による装着では、手首線上より少し奥側で交叉する状態から前方に手首バンドが移動するので、一方の側面当接部および他方の側面当接部の前方が外に向き且つ奥方が内に向くように撚れるような動き、ないしまわるような動きとなり、よって、一方の側面当接部および他方の側面当接部が前方広がり後方狭まりの、手首の側面傾斜に略合った傾斜形態となる。
すなわち当り面積の狭い縁当接（線当接）でない当接面積の広い面当接のフィット感のある装着形態を実現するという効果を奏する。
一方の手首バンド部と他方の手首バンド部の連結は、一方のフック面ファスナを設け他方にループ面ファスナを設け（逆も有り）、両面ファスナの係着によってするもの、一方の手首バンドに環部材を取り付け、他方の手首バンドの同一面にフック面ファスナとループ面ファスナを設け（逆も有り）、他方の手首バンドを環部材に通して折り返しフック面ファスナとループ面ファスナを係着することによってするものなどの形態がある。
＜請求項２記載の発明の効果＞
請求項１記載の発明の構成において、一方の側面当接部と他方の側面当接部の幅を手首のくるぶしと手根側部との間に略収まる幅としてなることを特徴とする手根保護具であるので、
請求項１記載の発明と同様な効果を奏するとともに、側面当接部が手首のくるぶしと手根側部との間に略収まるので、ストッパー機能を果たして操作によって手首から抜け奥側に動いてしまうことが生じないという効果を奏する。＜付記２記載の発明の効果＞
付記１記載の発明の構成において、一方の側面当接部と他方の側面当接部の幅を手首のくるぶしと手根側部との間に略収まる幅としてなることを特徴とする手根保護具であるので、
付記１記載の発明と同様な効果を奏するとともに、側面当接部が手首のくるぶしと手根側部との間に略収まるので、ストッパー機能を果たして操作によって手首から抜け奥側に動いてしまうことが生じないという効果を奏する。
＜付記３記載の発明の効果＞
付記１記載の発明の構成において、一方の手首バンド部と他方の手首バンド部の内面に、手首のくるぶしと手根側部との間に略収まるソフト部材からなるソフト突起部位を設けてなることを特徴とする手根保護具であるので、
付記１記載の発明と同様な効果を奏するとともに、ソフト突起部位がソフトタッチで手首のくるぶしと手根側部との間に略収まるので、ストッパー機能を果たして操作によって手首から抜け奥側に動いてしまうことが生じない、かつ、手首側面への当りをソフトな当りにできるという効果を奏する。
＜付記４記載の発明の効果＞
付記１〜３いずれか記載の発明の構成において、一方の手首バンド部と他方の手首バンド部の全体の幅が、手首のくるぶしと手根側部との間に略収まる３ｍｍ〜１５ｍｍの幅であり、凹み形態としての一方の手根避け部と他方の手根避け部の無い形態であることを特徴とする手根保護具であるので、
付記１〜３いずれか記載の発明と同様な効果を奏するとともに、材料の使用量を軽減するとともに、手首バンドの連結を面ファスナ部材の係着により行うものでは、面ファスナの使用量を軽減し低コスト化を実現するという効果を奏する。
＜付記５記載の発明の効果＞
付記１〜４いずれか記載の発明の構成において、一方の手首バンド部および他方の手首バンド部あるいはいずれか一方手首バンド部の奥側に逃げ傾斜させた逃げ傾斜角度が、奥側に略８度〜２０度の逃げ傾斜であることを特徴とする手根保護具であるので、
付記１〜４いずれか記載の発明と同様な効果を奏する。
＜付記６記載の発明の効果＞
主にコンピュータのマウスの操作時の手根の擦れを防ぐ手根保護具であって、
底部をテーブル面での滑り側とした掌の手根を載せる手根載せ部と、
この手根載せ部から奥側に手首を越えて前腕に達する長さの前腕まで延びる部位と、
この前腕まで延びる部位に設けられた、前記手根載せ部を手根に位置させかつ該前腕まで延びる部位を前腕に装着するための前腕バンド部とからなることを特徴とする手根保護具であるので、
手首に巻き装着する手首バンドに変えて前腕に巻き装着する前腕バンドとしたので、手首へのバンドの接触当りは一切生じない形態を実現するとともに、前腕を覆う着衣の上から前腕バンドを装着できるので、より違和感のない装着を実現するという効果を奏する。
滑り部材としては、例えばテーブルなどの脚底に貼り付けて床を滑り移動しやすくする、ふすまなどの戸口の案内溝に貼ってとの滑りをよくする、超高密度ポリエチレン製部材、シリコン部材などがある。
＜付記７記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた手首に巻く一方の手首バンド部と、
前記手根載せ部を手根に位置させた状態で手に装着するための、該手根載せ部側の他方の側から延びるように設けられた前記一方の手首バンド部と連絡される手首に巻く他方の手首バンド部と、
一方の手首バンド部と他方の手首バンド部の手首側面に当接する部位に設けられた、手首のくるぶしと手根側部との間に略収まるソフト部材からなるくるぶし前で収まる一方のソフト突起部位、くるぶし前で収まる他方のソフト突起部位とからなることを特徴とする手根保護具であるので、
ソフト突起部位がソフトタッチで手首のくるぶしと手根側部との間に略収まるので、ストッパー機能を果たして操作によって手首から抜け奥側に動いてしまうことが生じないととともに、手首バンド前縁がソフト突起部位により浮かされるので、該手首バンド前縁がいう効果を奏する。
＜付記８記載の発明の効果＞
付記１〜７いずれか記載の発明の構成において、一方の手首バンド部と他方の手首バンド部の連結手段が、一方の手首バンド部に設けられたフック面ファスナ部材と他方の手首バンド部の前記一方の手首バンド部の面ファスナの設け面とは反対面に設けられたループ面ファスナ部材であることを特徴とする手根保護具であるので、
付記１〜７いずれか記載の発明の効果に加えて、他方の手首バンドを中指で手首上に抑え、人差し指と親指で一方の手首バンドを摘んで他方の適部バンドに重ね、面ファスナを合わせ係着連結するので、連結操作が行い易いという効果を奏する。
フック面ファスナ部材は、一つの掛かり部材が逆Ｊ字形状、Ｔ字形状、逆Ｌ字形状あるいはきのこ形状などのループに掛かる部位を有するフック部材であり、ループ面ファスナ部材は、前記フック部材が掛かる糸ループあるいは繊維部材を重ね当接部位を融着や溶着により接合してループや糸張り状態を形成してなるループ部材などをさしている。
＜付記９記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた手首に巻く一方の手首バンド部と、
前記手根載せ部を手根に位置させた状態で手に装着するための、該手根載せ部側の他方の側から延びるように設けられた前記一方の手首バンド部と連絡されて手首に巻く他方の手首バンド部と、
前記一方の手首バンド部と前記他方の手首バンド部の前側に設けられた、手根の側部を避けるための奥側に凹形態に形成されてなる一方の手根避け部、他方の手根避け部と、
前記一方の手根避け部が形成されている手首の一方の側面に当接する一方の側面当接部と、
前記他方の手根避け部が形成されている手首の他方の側面に当接する他方の側面当接部と、
前記一方の手首バンド部の内面に設けられた長さ３０ｍｍ以上のループ面ファスナ部材と、
前記他方の手首バンド部の外面に設けられた、前記一方の手首バンド部の前記ループ面ファスナ部材と係着される長さ３０ｍｍ以上のフック面ファスナ部材とからなり、
前記他方の手首バンド部を前記他方の側面当接部が手首に平に当接するように手の甲側に逃がすようにして手の甲上に押さえ、前記一方の手首バンド部を前記一方の側面当接部が手首に平に当接するように手の甲側に逃がすようにして押さえられている該他方の手首バンド部に交叉するように、上向きの前記フック面ファスナ部材に下向きの前記ループ面ファスナ部材を係着して、該一方の手首バンド部と該他方の手首バンド部を手の甲上でＸ形態に交叉した連結とすることを特徴とする手根保護具であるので、
「一方の手首バンド部の内面に設けられた長さ３０ｍｍ以上のループ面ファスナ部材と、他方の手首バンド部の外面に設けられた、一方の手首バンド部のループ面ファスナ部材と係着される長さ３０ｍｍ以上のフック面ファスナ部材と、」という構成によって、特に両面ファスナを３０ｍｍ以上の長いものとしたことによって、手首の太さが異なっても、手の甲上でループ面ファスナ部材（一方の手首バンド部）とフック面ファスナ部材（他方の手首バンド部）とを交叉（クロス）させるように重ね係着して連結し装着することを可能とし、一方の手首バンドと他方の手首バンドを手首線上から前方にずらすように、すなわち一方の側面当接部と他方の側面当接部を前方が外向きに後方が内向きに撚れるようにないしまわるように動かして、手首の側面に平状態で当る状態に調節して交叉連結することができ、よって、手首の側面当接部が平らな状態で手首の側面に前縁が当らない、すなわち当り面積の狭い縁接触（線接触）でない当接面積の広い面接触のフィット感のある装着形態を実現するという効果を奏する。
さらに、一方の手首バンド部の内面に設けられた３０ｍｍ以上のループ面ファスナ部材、すなわちループ面ファスナ部材が下向きで設けられ、他方の手首バンド部の外面に設けられた長さ３０ｍｍ以上のフック面ファスナ部材、すなわちフック面ファスナ部材が上向きで設けられた形態としているので、フック面ファスナ部材がファスナ面を上にして手の甲に位置され、ループ面ファスナ部材がファスナ面を下にしてフック面ファスナ部材に交叉被さった形態となり、よって、手の甲に当るのはソフトな当りのループ面ファスナであり、きつい当りのフック面ファスナは手の甲には当らないという、装着性のよいものにできるという効果を奏する。すなわち、３０ｍｍ以上という長さの面ファスナが交叉係着するものであるので完全には重ならないではみ出してしまうので、フック面ファスナがフックファスナ部を下向きにして上から被さる係着形態では、はみ出した硬いフックファスナ部が手の甲に当り装着性を著しく損なうという問題を解消するものである。
また、手根の側面の形状、手首の側面の形状および手の甲の形状などに個人差があるが、側面当接部を手首の側面に対して平になるように両手首バンドの位置を自在に調整できるという効果を奏する。
また、一方の手首バンド部と他方の手首バンド部を長めにしておくことにより、手首の細い人は余分な部分を鋏で最適な長さに切断して使用することができる。
＜付記１０記載の発明の効果＞
付記９記載の発明の構成において、一方の側面当接部と他方の側面当接部の幅を手首のくるぶしと手根側部との間に略収まる幅としてなることを特徴とする手根保護具であるので、
付記９記載の発明と同様な効果を奏するとともに、側面当接部が手首のくるぶしと手根側部との間に略収まるので、ストッパー機能を果たして操作によって手首から抜け奥側に動いてしまうことが生じないという効果を奏する。
＜付記１１記載の発明の効果＞
付記９記載の発明の構成において、一方の手首バンド部と他方の手首バンド部の内面に、手首のくるぶしと手根側部との間に略収まるソフト部材からなるソフト突起部位を設けてなることを特徴とする手根保護具であるので、
付記９記載の発明と同様な効果を奏するとともに、にソフト突起部位がソフトタッチで手首のくるぶしと手根側部との間に略収まるので、ストッパー機能を果たして操作によって手首から抜け奥側に動いてしまうことが生じない、かつ、手首側面への当りをソフトな当りにできるという効果を奏する。
＜付記１２記載の発明の効果＞
付記８〜１１いずれか記載の発明の構成において、一方の手首バンド部と他方の手首バンド部の全体の幅が、手首のくるぶしと手根側部との間に略収まる３ｍｍ〜１５ｍｍの幅としたことを特徴とする手根保護具であるので、
付記８〜１１いずれか記載の発明と同様な効果を奏するとともに、材料の使用量を軽減するとともに、手首バンドの連結を面ファスナ部材の係着により行うものでは、面ファスナの使用量を軽減し低コスト化を実現するという効果を奏する。
＜付記１３記載の発明の効果＞
付記１〜１２いずれか記載の発明の構成において、手根載せ部に、該手根載せ部の大きさを手根の広さに合わせた大きさにするための一部を切りとるためのミシン線あるいは鋏での切り取りを案内する切り取り案内線が設けられてなることを特徴とする手根保護具であるので、
使用する人の手の手根の大きさにあった大きさに手根載せ部を合わせたものとすることが、容易にできるという効果を奏する。
＜付記１４記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、該手根載せ部側の一方の側から延びるように設けられた手首に巻く一方の手首バンド部と、
前記手根載せ部を手根に位置させた状態で手に装着するための、該手根載せ部側の他方の側から延びるように設けられた前記一方の手首バンド部と連結される手首に巻く他方の手首バンド部と、
前記一方の手首バンド部の手首の一方の側面に当接する部位である、手首側面形状に合わさってソフトタッチで変形当接する布製部材、柔軟性合成樹脂製シート部材あるいは毛糸編などのソフト編製部材などからなるとともに、その幅が手根側面部と手首くるぶしの間に納まる幅に形成されてなる一方の手首側面ソフトタッチ当接部と、
前記他方の手首バンド部の手首の他方の側面に当接する部位である、手首側面形状に合わさってソフトタッチで変形当接する布製部材、柔軟性合成樹脂製シート部材あるいは毛糸編などのソフト編製部材などからなるとともに、その幅が手根側面部と手首くるぶしの間に納まる幅に形成されてなる他方の手首側面ソフトタッチ当接部とからなることを特徴とする手根保護具であるので、
手首側面に当接する部位である一方の手首側面ソフトタッチ当接部と他方の手首側面ソフトタッチ当接部が、手首の側面形状に合わさってソフトタッチで変形当接する部材により構成されていることにより、手首側面への手首バンドの当りが硬い当り感の無いソフトタッチで違和感の無いものにできるという効果を奏する。
また、一方の手首側面ソフトタッチ当接部および他方の手首側面ソフトタッチ当接部の幅が、手根側面部と手首くるぶしの間に納まる幅に形成されてなるので、くるぶしに奥側への移動が確実に阻止される装着を実現するので、使用中にくるぶしを超えて前腕側に移動してしまうことが生じないという効果を奏する。
手首側面ソフトタッチ当接部の形態は、手首側面ソフトタッチ当接部を他の部位（手根載せ部、バンドの連結部位）の部材とは異なるソフト部材を接着、溶着融着あるいはステップラー（ホッチキス：登録商標）などの機械的な取り付けにより設けてなる形態、手根載せ部およびバンドの連結部位の内側面、外側面あるいは中間部位を形成しているシート部材からなる形態などの形態がある。
＜付記１５記載の発明の効果＞
主にコンピュータのマウスの操作時の手根の擦れを防ぐ手根保護具であって、
底部をテーブル面での滑り側とした掌の手根を載せる、布製部材などの通気性のある柔軟性部材を袋状に形成してなる袋形態の手根載せ部と、
この手根載せ部を手根に位置させた状態で手に装着するための、該手根載せ部側の一方の側から延びるように設けられた、布製部材などの通気性のある柔軟性部材を袋状に形成してなる袋形態の手首に巻く一方の手首バンド部と、
前記手根載せ部を手根に位置させた状態で手に装着するための、該手根載せ部側の他方の側から延びるように設けられた、布製部材などの通気性のある柔軟性部材を袋状に形成してなる袋形態の前記一方の手首バンド部と連結される手首に巻く他方の手首バンド部と、
前記手根載せ部、前記一方の手首バンド部および前記他方の手首バンド部の袋内部に詰め込まれて全体をクッション構造とする、綿部材あるいはスポンジ部材などの通気性クッション部材とからなることを特徴とすることを特徴とする手根保護具であるので、
特に手首に巻く手首バンドがソフトな絹や木綿などの布地部材などのソフトタッチの肌触りのよい部材を使用し、ソフトなクッション形態としたものであるので、手首側面への手首バンドの当接がソフトで違和感のないものとなり、手根とくるぶしの間への嵌まり込みもなされて、操作中にずれることも無くなり、通気性と吸湿性を有する素材であるので、蒸れることもないという効果を奏する。
手首バンド部の少なくとも手首の側面に当る部位は、手根とくるぶしの間に嵌る幅あるいは一部が嵌る形態とするのがよい。
＜付記１６記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、空気を入れて膨らませた先端分離交叉リング形態、先端分離Ｃ字形態あるいは先端分離先端突合せＯ字形態からなっていて、手首をその弾性力に抗して入れることによって、手首を軽く弾性締め付けて該手首に装着される空気膨らませ手首バンド部とからなることを特徴とする手根保護具を構成しているので、
手首バンド部は、空気を入れて膨らませた浮き輪のような形態の対抗するあるいは交叉する端部がはなれた形態、すなわち、先端分離交叉リング形態、先端分離Ｃ字形態（先端分離コ字形態を含む）あるいは先端分離先端突合せＯ字形態となっているので、穴の部分あるいは内部分を手首の太さより細く形成しておくことにより、あるいは手首が穴よりも細い場合や締め付けが弱い場合は、ハンカチやティッシュペーパーなどの補助部材を手首に巻くあるいは間に入れるなどすることにより、手首バンド部の弾性締め付けによって、該手首バンド部を手首に装着して手根載せ部を手根の位置に取り付ける（セットする）ことができるとともに、空気を入れて膨らませた手首バンドは略円筒形態となるので、手首側面凹にソフトに嵌る違和感なく且つ移動しない装着形態を実現するという効果を奏する。
また、手首バンド部自身の弾性締め付けにより手首への装着を実現するものであるので、面ファスナなどの別部材の連結手段を必要としない、すなわち、部品点数および組み立て工程を少なくできるという効果を奏する。
浮き輪のように手根載せ部も空気を入れて膨み状態にした膨らみ体とし、該手載せ部および手首バンド部の少なくとも手の肌が接触する面は、布製部材などの吸湿性部材とするのがよい。
膨らみ体は空気が密封された状態の膨み状態のもの、使用者が口で息（空気）を吹き込み膨らませるも吹き込み口を有するもののいずれも技術的範疇に含まれるものである。
特に、使用者が空気を口で空気を吹き込む構成のものは、使用者の好みの膨み状態とできる。この点で手首バンド部と手根載せ部は別体の膨らみ体にして、それぞれに息吹込み口を設けて、それぞれ好みの硬さとなるように息を吹き込みできるようにするのがよい。
＜付記１７記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、先端分離交叉リング形態、先端分離Ｃ字形態あるいは先端分離先端突合せＯ字形態からなっていて、手首をその弾性力に抗して入れることによって、手首を軽く弾性締め付けて該手首に装着される手首バンド芯部材、この手首バンド芯部材を通してなる断面形状が楕円形あるいは略円形の手首巻かれる低反発樹脂製部材あるいは発泡樹脂製ソフト部材とからなる手首バンド部とからなることを特徴とする手根保護具であるので、
このような構成としても、前記付記１６と同様な効果を奏する。
＜付記１８記載の発明＞
付記１７記載の発明の構成において、手首バンド芯部材がアルミニウム製針金部材あるいは鉛製針金部材などの塑性変形部材であることを特徴とする手根保護具であるので、
塑性変形部材を広げて手首を入れ、該塑性変形部材を手首に合うように締め変形させて、手首に装着することができるとともに、低反発樹脂製部材あるいは発泡樹脂製ソフト部材のソフト弾性力による手首へのソフトな弾性締め付け装着を実現するという効果を奏する。
また、手首バンド部自身の弾性締め付けにより手首への装着を実現するものであるので、面ファスナなどの別部材の連結手段を必要としない、すなわち、部品点数および組み立て工程を少なくできるという効果を奏する。
＜付記１９記載の発明の効果＞
主にコンピュータのマウスの操作時の手根の擦れを防ぐ手根保護具であって、
底部をテーブル面での滑り側とした掌の手根を載せる手根載せ部と、
この手根載せ部を手根に位置させた状態で手に装着するための、空気を入れて膨らませた先端分離交叉リング形態、先端分離Ｃ字形態あるいは先端分離先端突合せＯ字形態からなっていて、手首をその弾性力に抗して入れることによって、手首を軽く弾性締め付けて該手首に装着される空気膨らませ手首バンド部と
前記手根載せ部と前記空気膨らませ手首バンドの面が肌に直接接触するのを防ぐための、通気性および吸湿性を有するあるいはいずれか一方の機能を有する肌触りのよいソフト素材からなっている、該手根載せ部の上部面に載る手根載せ部に載る部位、該空気膨らませ手首バンド部を通すバンド通し部とからなる手根保護具装着体と、
からなることを特徴とする手根保護具。
このような構成とすることにより、主にビニール製部材あるいはゴム製部材という通気性、吸湿性のない素材を使用している膨らみ体である空気膨らませ手首バンド（手根載せ部も同様な素材とするのがよい）を、そのまま手に装着した場合は、手の発汗によって湿り濡れて使用感がとても悪くなるものであるが、通気性および吸湿性を有するあるいはいずれか一方の機能を有する素材からなっている手根保護具装着体で、手根および手首へのビニール等の直接の接触は回避され、且つ、例えば、木綿製部材、絹製部材、麻製部材、通気性吸湿性のある不織布製部材あるいはコットン製部材などの肌触りの良いソフト部材であるで、軽快な装着使用感を実現するとともに、エアクッションによる快適なクッション操作性を実現するという効果を奏する。
また、手根保護具装着体にロゴ、広告、模様などを施すことができるので、例えば、手根保護具装着体のみの提供も行えるものであるとともに、空気膨らませ手首バンドおよび手根載せ部は無地、無色地あるいは共通模様として、手根保護具装着体の模様等を替えることにより多様な模様等の要求に（例えば少量多品種）柔軟に答えることができ、空気膨らませ手首バンドおよび手根載せ部を共通化することにより、安価にすることができるという効果を奏する。
＜付記２０記載の発明の効果＞
底部をテーブル面での滑り側とした掌の手根を載せる手根載せ部、この手根載せ部を手根に位置させた状態で手に装着するための、空気を入れて膨らませた先端分離交叉リング形態、先端分離Ｃ字形態あるいは先端分離先端突合せＯ字形態からなっていて、手首をその弾性力に抗して入れることによって、手首を軽く弾性締め付けて該手首に装着される空気膨らませ手首バンド部とからなる、主にコンピュータのマウスの操作時の手根の擦れを防ぐ手根保護に装着して使用する、手根保護具装着体であって、
前記手根載せ部と前記空気膨らませ手首バンドの面が肌に直接接触するのを防ぐための、通気性および吸湿性を有するあるいはいずれか一方の機能を有する肌触りのよいソフト素材からなっている、該手根載せ部の上部面に載る手根載せ部に載る部位、該空気膨らませ手首バンド部を通すバンド通し部とからなることを特徴とする手根保護具装着体。
付記１６、１９記載の発明と同様な効果を奏する。
【産業上の利用可能性】
【００２６】
本発明は主にパソコン周辺グッズ産業で利用される。
【図面の簡単な説明】
【００２７】
【図１】本発明を実施するための最良の第１の実施の形態の平面図および正面図。
【図２】本発明を実施するための最良の第１の実施の形態の手に装着した状態を示す斜視図。
【図３】本発明を実施するための最良の第１の実施の形態の手首の側面部への側面当接部の当接状態を示す断面図。
【図４】本発明を実施するための最良の第２の実施の形態の平面図および正面図。
【図５】本出願人したところの他の発明を実施するための最良の第３の実施の形態の平面図および正面図。
【図６】本出願人したところの他の発明を実施するための最良の第３の実施の形態の手に装着した状態を示す斜視図。
【図７】本出願人したところの他の発明を実施するための最良の第４の実施の形態の平面図および正面図。
【図８】本出願人したところの他の発明を実施するための最良の第５の実施の形態の平面図および正面図
【図９】本出願人したところの他の発明を実施するための最良の第６の実施の形態の平面図および正面図
【図１０】本出願人したところの他の発明を実施するための最良の第６の実施の形態の手に装着した状態を示す斜視図。
【図１１】本発明を実施するための最良の第７の実施の形態の正面図。
【図１２】本発明を実施するための最良の第８の実施の形態の正面図。
【図１３】本出願人したところの他の発明を実施するための最良の第９の実施の形態の底面図、正面図および背面図。
【図１４】本出願人したところの他の発明を実施するための最良の第１０の実施の形態のＡ−Ａ線切断断面図、正面図および背面図。
【図１５】本出願人したところの他の発明を実施するための最良の第１１の実施の形態の斜視図。
【図１６】本出願人したところの他の発明を実施するための最良の第１２の実施の形態の製造固定の斜視図。
【図１７】本出願人したところの他の発明を実施するための最良の第１３の実施の形態の斜視図。
【図１８】本出願人したところの他の発明を実施するための最良の第１４の実施の形態の斜視図および保護体を取り付けた状態の斜視図。
【図１９】従来技術の手首の側面部への側面当接部の当接状態を示す断面図。
【符号の説明】
【００２８】
１：手根保護具、
２：マウス、
３：滑り側、
４：手根載せ部、
５：手首バンド部、
６：手首バンド部、
７：手根避け部、
８：手根避け部、
１０：側面当接部、
１１：側面当接部、
１２：フック面ファスナ部材、
１３：ループ面ファスナ部材、
１５：手首バンド部、
１６：手首バンド部、
１７：ソフトクッション部材、
１８：滑り部材、
１９：手根保護具、
２２：手首バンド部、
２３：手首バンド部、
２４：ループ面ファスナ部材、
２５：フック面ファスナ部材、
２７：手首バンド部、
２８：手首バンド部、
２９：手根保護具、
３０：手首バンド部、
３１：手首バンド部、
３２：ソフト突起部位、
３３：ソフト突起部位、
３４：ソフト突起部位、
３５：ループ面ファスナ部材、
３６：フック面ファスナ部材、
３７：手根保護具、
４０：手根保護具、
４１：前腕まで延びる部位、
４２：前腕バンド部、
４３：前腕バンド部、
４４：フック面ファスナ部材、
４５：フック面ファスナ部材、
４８：ミシン線、
４９：ミシン線、
５０：手根保護具、
５２：切り取り案内線、
５３：切り取り案内線、
５５：手根保護具、
６０：手根保護具、
６１：手根載せ部、
６２：手根載せ部、
６３：フック面ファスナ、
６４：手首バンド部、
６５：ループ面ファスナ、
６６：手首バンド部、
６７：手首側面ソフトタッチ当接部、
６８：手首側面ソフトタッチ当接部、
６９：一つの部材、
７２：手根保護具、
７３：滑り側、
７４：手根載せ部、
７５：フック面ファスナ、
７６：手首バンド部、
７７：ループ面ファスナ、
７８：手首バンド部、
７９：吸湿性クッション部材、
８０：縫い目、
８３：手根保護具、
８４：空気膨らませ手根載せ部、
８５：空気膨らませ手首バンド部、
８６：融着接合部、
８７：融着接合部、
８８：融着接合部、
８９：バンド通し取付部、
９３：手根保護具、
９４：手載せ部形成部位、
９５：手首バンド形成部位、
９６：第１ビニールシート、
９７：第２ビニールシート、
９８：融着接合部、
９９：融着接合部、
１００：空気膨らませ手根載せ部、
１０１：空気膨らませ手首バンド部、
１０２：膨らみ体、
１０３：根本接合部、
１０６：手根保護具、
１０７：滑り部材、
１０８：手根載せ部、
１０９：手首バンド芯部材、
１１０：低反発樹脂製部材、
１１１：手首バンド部、
１１５：手根保護具、
１１６：空気膨らませ手根載せ部、
１１７：空気膨らませ手首バンド部、
１１８：接合部、
１１９：接合部、
１２０：接合部、
１２１：空気注入口、
１２４：手根保護具、
１２５：手根載せ部に載る部位、
１２６：バンド通し部、
１２７：バンド通し部、
１２８：手根保護具装着体。
【要約】
【課題】  テーブル上手根の側部ないし手首根本への装着バンドの前面部位（前縁）の当りの生じない、あるいは生じても違和感ないし不快感を与えないとともに、奥側に移動し難い滑り手根保護具を提供することを目的としている。
【解決手段】  前記手首バンド部５と前記手首バンド部６を奥側に逃げ湾曲も含む略１２度の逃げ傾斜させた構成となっている。首線上より少し奥側で交叉する状態から前方に手首バンド部５および手首バンド部６は移動するので、側面当接部１０と側面当接部１１の前方が外に向き且つ奥方が内に向くように撚れるような動き、ないしまわるような動きとなり、よって、側面当接部１０および側面当接部１０が図３に示すように平らな状態で手首に前縁が向き当らない、すなわち当り面積の狭い縁接触（線接触）でない当接面積の広い面接触のフィット感のある装着形態を実現する。
【選択図】図１【図１６】
0004253031.tif 000002
【図１８】
0004253031.tif 000003
【図１９】
0004253031.tif 000004
【図１】
0004253031.tif 000005
【図２】
0004253031.tif 000006
【図３】
0004253031.tif 000007
【図４】
0004253031.tif 000008
【図５】
0004253031.tif 000009
【図６】
0004253031.tif 000010
【図７】
0004253031.tif 000011
【図８】
0004253031.tif 000012
【図９】
0004253031.tif 000013
【図１０】
0004253031.tif 000014
【図１１】
0004253031.tif 000015
【図１２】
0004253031.tif 000016
【図１３】
0004253031.tif 000017
【図１４】
0004253031.tif 000018
【図１５】
0004253031.tif 000019
【図１７】
0004253031.tif 000020